(57)【要約】【課題】小便器の清掃を簡素化する、薬剤収納容器を提供する。【解決手段】尿石防止剤、尿石除去剤、洗剤、芳香剤、殺菌剤等を収容する容器であって、感温変性樹脂を配合した尿の飛散防止具でもある容器の上部等の尿が当たる面を細かな縞模様や網目、放射状にすることにより、尿が直接当たった時に泡を生成すことが出来る形態にする。泡状になった尿が周囲に分散して排水されることで、洗浄水に対する尿の濃度をより均一にし尿石の付着生成を抑制する。泡を生成することで尿跳ねを抑制、便器の洗浄効果も向上させる。また薬剤収納容器の色の変化から泡へと利用者の意識を移すことにより尿の飛散防止効果を向上する。【選択図】図１
2019210692.tif 000002
【特許請求の範囲】
【請求項１】
男性用小便器に設置される薬剤収納容器または飛散防止具・目皿であって、その上面の尿が当たった時に空気を取り込み泡状に変化させる構造を備え、生成された泡状の尿を周囲に分散して排水させることで、洗浄水が流れる時に洗浄水中の尿の分布をより均一にすることを可能として尿石の付着を抑制することを特徴とする小便器の尿石付着抑制・尿跳ね抑制構造。
【請求項２】
前記尿が当たった時に空気を取り込み泡状に変化させる構造は、尿が直接当たる箇所が網状やストライプ状、放射状で構成され、かつ排水経路を狭くすることにより尿が当たった時に空気を取り込んで泡状に変化させ、かつ泡状の尿を堆積させて尿跳ねを抑制するようにしたことを特徴とする請求項１に記載の小便器の尿石付着抑制・尿跳ね抑制構造。
【請求項３】
前記男性用小便器に設置される薬剤収納容器は、その内部に界面活性剤や洗剤、殺菌剤を収納して、小便器より吐水される洗浄水に界面活性剤や洗剤、殺菌剤を流入させて泡を生成し、これにより洗浄効果の向上、尿跳ね防止を図るようにしたことを特徴とする請求項１または２に記載の小便器の尿石付着抑制・尿跳ね抑制構造。
【発明の詳細な説明】
【技術分野】
【０００１】
本発明は男性用小便器に設置し、小便器排水管やトラップ、小便器ボール面に付着する尿石を抑制するものであり、小便器の飛散防止具として尿の標的になり、清掃作業の負担を軽減する小便器の尿石付着抑制・尿跳ね抑制構造に関するものである。
【背景技術】
【０００２】
従来より、小便器の洗浄水に薬剤を徐溶させ尿石付着防止を行う薬剤を収容する容器は種々考案されている。例えば  特開平５−１９５５６７号公報（特許文献１参照）のように容器の形状を工夫し尿の跳ね返りを抑制するものがある。
【０００３】
また特開２００５−１３６９号公報（特許文献２参照）で示されている感温変色するマイクロカプセルを薬剤収納容器や飛散防止具の成分に配合することで、尿が当たると色が変わる性質を付加した製品がある。このようなものは利用者の興味心を掻き立て、薬剤収納容器に直接尿が当たる確率を高めることが出来る。
【０００４】
さらに特開２０１７−４４０１４号公報（特許文献３参照）のように網目状の３次元ワイヤー構造にすることで尿の跳ね返りを抑制する飛散防止具も提案されている。
【先行技術文献】
【特許文献】
【０００５】
【特許文献１】特開平５−１９５５６７号公報
【特許文献２】特開２００５−１３６９号公報
【特許文献３】特開２０１７−４４０１４号公報
【発明の概要】
【発明が解決しようとする課題】
【０００６】
尿の比重は１．０２と水より重く、粘性もある。このため洗浄水を流した時に希釈され難い性質を僅かにもっている。これが尿石の堆積の要因の一つである。
一方近年の小便器は地球環境保護の姿勢から節水化が進み、従来の洗浄水の約２０％で小便器を洗浄するものもある。しかし、このことが尿石の堆積を促進している。また、近年では人手不足の影響で清掃作業の簡素化、衛生面・悪臭の改善などが求められている。現在考案されている尿石防止剤ではその効果が十分でなく、薬剤自体の尿石付着防止力だけでなく薬剤収納容器や飛散防止具、目皿の構造を工夫することで洗浄効果をより高めることが望まれている。
【０００７】
他方、小便器を利用する際、尿が当たることで色の変わる感温変性樹脂で成形された薬剤収納容器や飛散防止具が設置されていると、利用者は興味心等で色の変わる構造物を尿の的にして用を足す。この時中心は早い段階で色が変わり、利用者はその後も更に色を変えようと容器のフチを狙うようになる。その結果尿が容器に当たらず、直接小便器に当たってしまい返って尿跳ねを増大させてしまうことがある。
【０００８】
ちなみに、特開２０１７−４４０１４号公報（特許文献３参照）のような３次元ワイヤー構造の飛散防止具でも尿を泡状態に変化することは出来るが、元々泡を生成することで尿石付着防止をすることが目的でないため、泡が分散することなく排水されてしまい、洗浄水に対する尿濃度に偏りがある。また、排水口が飛散防止具の底に設けられているためトラップ付き小便器等では泡が直接排水されてしまい、利用者が泡に興味を示すことがない。
【課題を解決するための手段】
【０００９】
そこで本発明の小便器の尿石付着抑制・尿跳ね抑制構造は前記従来例の問題点を解消するため、男性用小便器に設置される薬剤収納容器または飛散防止具・目皿であって、その上面の尿が当たった時に空気を取り込み泡状に変化させる構造を備え、生成された泡状の尿を周囲に分散して排水させることで、洗浄水が流れる時に洗浄水中の尿の分布をより均一にすることを可能として尿石の付着を抑制するようにしたことを特徴とするものである。
なお、尿に空気を取り込んで泡状とする手段としては、本発明では薬剤収納容器や飛散防止具における尿が直接当たる箇所の形状をストライプ状や網状、放射状とするものである。そして尿は水に比べて粘性があるため、空気を取り込むことで泡状へ変化する。この泡状の尿を周囲に分散して排水することで、洗浄水を流した時に洗浄水に対する尿の濃度をより均一にすることができる。
ちなみに、生成された泡を分散して排水するには、薬剤収納容器や飛散防止具の外周に沿って排水口を複数設置することが望ましい。
【００１０】
また本発明の小便器の尿石付着抑制・尿跳ね抑制構造において、前記尿が当たった時に空気を取り込み泡状に変化させる構造は、尿が直接当たる箇所が網状やストライプ状、放射状で構成され、かつ排水経路を狭くすることにより尿が当たった時に空気を取り込んで泡状に変化させ、かつ泡状の尿を堆積させて尿跳ねを抑制するようにしたことをも特徴とするものである。
【００１１】
本発明の小便器の尿石付着抑制・尿跳ね抑制構造において、前記男性用小便器に設置される薬剤収納容器は、その内部に界面活性剤や洗剤、殺菌剤を収納して、小便器より吐水される洗浄水に界面活性剤や洗剤、殺菌剤を流入させて泡を生成し、これにより洗浄効果の向上、尿跳ね防止を図るようにしたことをも特徴とするものである。
【００１２】
従来例における色の変化以外のもので利用者の興味心を掻き立てる手段としては、尿を泡状に変化させることが非常に有効である。
すなわち、小便器で用を足す場合、尿に泡が発生するのは尿中に含まれるタンパク質や糖の影響であり、通常はあまり泡状には成りにくい性質である。このため通常と違う尿の状態に利用者の意識を集中させることができる。
【００１３】
また、生成された泡を利用者に見える構造にするためには、底部に開口部を設けた場合は泡が直接排水しないように徐溶性薬剤を設置することで排水経路を狭くしたり、泡が薬剤収納容器や飛散防止具の側面や湾曲状の底面から溢れ出る構造とすればよい。
【発明の効果】
【００１４】
請求項１の発明によれば、小便器の洗浄水を流した時に泡状になった尿が分散して排水されることで洗浄水に対する尿の濃度を均一にすることができる。これによって尿石の付着生成を抑制することができ、また泡状になることで尿跳ねを抑制することができるとともに、洗浄水の洗浄力も向上する。
【００１５】
請求項２の発明によれば、前記尿が当たった時に空気を取り込み泡状に変化させる構造が、尿が直接当たる箇所が網状やストライプ状、放射状で構成されており、かつ排水経路を狭くすることによって尿が当たった時に空気を取り込んで泡状に変化させることができ、非常に単純な構造で顕著な効果を発揮させることができる。
【００１６】
請求項３の発明によれば、前記男性用小便器に設置される薬剤収納容器は、その内部に界面活性剤や洗剤、殺菌剤を収納して、小便器より吐水される洗浄水に界面活性剤や洗剤、殺菌剤を流入させて泡を生成するようにしたので、より大幅な洗浄効果の向上、尿跳ね防止を図ることができる。
【図面の簡単な説明】
【００１７】
【図１】尿を泡状にする薬剤収納容器の斜視図である。
【図２】尿を泡状にする薬剤収納容器を小便器に設置した状態の斜視図である。
【図３】尿を泡状にする薬剤収納容器の構成する全ての部材の斜視図である。
【図４】尿が尿を泡状にする薬剤収納容器の断面図である。
【図５】尿を泡状にする薬剤収納容器の部材である収納容器上蓋の平面図である。
【図６】泡を生成する箇所の断面詳細図である。
【図７】尿が尿を泡状にする薬剤収納容器に当たる様子の斜視図である。
【図８】泡の排出される様子の斜視図である
【図９】尿を泡状にする薬剤収納容器と泡、排水口を記した断面図である。
【図１０】利用者に尿を薬剤収納容器に当てることを誘導するシールの一例で小便器や壁面の目に付く箇所に貼り付けるものの正面図である。
【発明を実施するための形態】
【００１８】
以下、図面に基いてこの発明である尿を泡状にする薬剤収納容器の実施形態について説明する。図１は尿を泡状にする薬剤収納容器の斜視図である。図２は尿を泡状にする薬剤収納容器を小便器に設置した状態の斜視図である。図３は尿を泡状にする薬剤収納容器を構成する全ての部材の斜視図である。図４は尿を泡状にする薬剤収納容器の断面図である。図５は尿を泡状にする薬剤収納容器の部材である収納容器上蓋の平面図である。図６は泡を生成する箇所の断面詳細図である。図７尿が尿を泡状にする薬剤収納容器に当たる様子の斜視図である。図８は泡の排出される様子の斜視図である。図９は尿を泡状にする薬剤収納容器と泡、小便器と小便器排水口を記した断面図である。
また図１０は利用者に尿を薬剤収納容器に当てることを誘導するシールの一例で小便器や壁面の目に付く箇所に貼り付けるものの正面図である。
【００１９】
図３に示すように尿を泡状にする薬剤収納容器１は下記の部材で構成されている。
１−１は収納容器上蓋、１−２は収納容器下蓋、１−３は尿石付着防止効果のある徐溶性薬剤を示すものである。
【００２０】
図３に示す収納容器上蓋１−１、収納容器下蓋１−２は便宜上敢えて収納容器上蓋１−１、収納容器下蓋１−２と記載するが、上下を入れ替えて問題のあるものではない。またこれらの成形品を構成する組成は、尿が当たることで色の変わる感温変性樹脂を配合して成形され、利用者の興味心を掻き立てて尿の的になるという機能を有するものである。
【００２１】
以下、時系列に沿って説明する。図２のように尿を泡状にする薬剤収納容器１を小便器２に設置する。小便器利用者が図１０のような薬剤収納容器に当てることを誘導するシールを見ることで、尿を泡状にする薬剤収納容器１に狙いを定め放尿する。図７に示す様に尿３が尿を泡状にする薬剤収納容器１に当たると温度に反応し色が変化する（例：青から白等）。すると図８のように泡状の尿３−１が生成され排出口１−ｃより排出される。
【００２２】
次に図５に示す収納容器上蓋１−１の構成を説明する。この収納容器上蓋１−１は尿を薬剤容器内へ流入する開口部１−ａと、尿を分断し衝突する勢いを軽減する棒状のフレーム１−ｂ、洗浄水の流入と泡状となった尿を排出する排出口１−ｃとを有する。
【００２３】
図５に示す開口部１−ａ及び棒状のフレーム１−ｂが複数集まって形成されるストライプ状集合体で尿が通過、衝突する箇所を図４に示す１−ａｂとする。この１−ａｂの形態は平面で見た時、例えば網状では体毛が絡んで配管へと流れ難く、放射状では開口部が広くなって尿跳ねを起こし、泡も生成し難い。またそれを補うには余計なフレームが必要になり、体毛の絡みを増大させる。このため１−ａｂの形状は図５のようなストライプ状が理想である。
【００２４】
図６に示す通り、棒状フレーム１−ｂの上端１−ｂ１は尿の跳ねを起こさないように断面から見て曲面や鋭角等の形状である必要がある。また、下端部１−ｂ２の大きさは５ｍｍ以下、開口部１−ａの開口幅の大きさは５ｍｍ以下とし、下隅１−ｂ２の大きさは２ｍｍ程度、開口部１−ａの開口幅の大きさは１．５ｍｍ程度が好ましい。これは開口部１−ａより侵入した尿が、矢印３−３のように徐溶性薬剤１−３に当たり、跳ね返ったものが下端部１−ｂ２で再び衝突して小便器の表面に尿跳ねを起こし難い寸法である。
【００２５】
図４に示す通り、泡状となった尿を排出する排出口１−ｃは小便器より吐水される洗浄液を取り込み、容器に収納する薬剤１−３を溶かす目的や、小便器より吐水される洗浄水の排水経路を塞がない目的、また泡に変化した尿３−１を利用者に見せる目的があるため、側面１−ｄと底面１−ｅを繋ぐような形が望ましい。
排出口１−ｃの数は、３個以上で１２個程度が、生成された泡を丁度良く分散して排出する。また、洗浄水の濃度を均一に近づけるように図５に示す外周１−１２−１に沿って排出口１−ｃを均等に配置することが望ましい。実際に設置されている薬剤収納容器の多くは、洗浄水や清掃作業、小便器底面が傾斜している機種があるため、上下逆さになることが多々ある。このため排出口ｃ−１は上下両方に設置するのが望ましい。
【００２６】
図９の通り、底部の開口１−２−１は泡３−１が直接排水するのを邪魔するように徐溶性薬剤１−３を設置し、排水経路を狭くすることで泡が薬剤収納容器や飛散模防止具の側面の排出口１−ｃに溢れ出る構造とする。
【産業上の利用可能性】
【００２７】
男性小便器の徐溶性尿石防止剤が考案され３１年が経過する。この間様々な考案がされているが、未だ完全に尿石の生成を阻害する実用品はない。近年環境保護の観点から節水化が進み小便器の洗浄水も旧型の約２０％で洗浄する機種も多く販売されている。また、洗浄水の動きも防臭の観点から勢いよく流れるようにして破封状態を形成しないようにオーバーフローさせ、排水させるものが増えている。この結果尿石の堆積量が増大している。
【００２８】
一方社会環境は人手不足が深刻である。その中でトイレ清掃などの作業の効率化、衛生面での改善、防臭対策など、人の嫌がる作業を軽減して人材確保したいと考える事業者も多い。
【００２９】
本発明の尿を泡状態へ変化させる薬剤収納容器は、従来の製品に飽きを感じた市場に大きな刺激を与え、清掃作業の簡素化を行う機器として産業上大いに利用されるのはもちろん、社会に貢献できる発明である。
【符号の説明】
【００３０】
１    尿を泡状にする薬剤収納容器
１−１  収納容器上蓋
１−２  収納容器下蓋
１−３  徐溶性薬剤
１−１２−１  外周
１−２−１  底部の開口
１−ａ  開口部
１−ｂ  棒状フレーム
１−ｂ１  棒状フレーム上端
１−ｂ２  棒状フレーム下端
１−ａｂ  尿が通過衝突する箇所
１−ｃ  排出口
１−ｄ  側面
１−ｅ  底面
２  小便器
２−１  小便器底ボール面
２−２  小便器目皿
２−３  小便器排水口
３  尿
３−１  泡状の尿
３−３  尿の跳ね返り
【図１】
2019210692.tif 000003
【図２】
2019210692.tif 000004
【図３】
2019210692.tif 000005
【図４】
2019210692.tif 000006
【図５】
2019210692.tif 000007
【図６】
2019210692.tif 000008
【図７】
2019210692.tif 000009
【図８】
2019210692.tif 000010
【図９】
2019210692.tif 000011
【図１０】
2019210692.tif 000012